【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
顔料、樹脂粒子、有機溶剤、界面活性剤、及び水をそれぞれ含有する第１のインク並びに第２のインクを記録媒体に付与する工程を有する画像記録方法であって、
前記界面活性剤の水中における臨界ミセル濃度ｃ１（質量％）と、前記第１のインク中及び前記第２のインク中のそれぞれの前記界面活性剤の濃度ｃ２（質量％）とが、ｃ１×２≦ｃ２の関係を満たし、
前記界面活性剤が、親水性基及び親油性基を有する、グリフィン法により測定されるＨＬＢ値が１３未満の界面活性剤であり、
前記第１のインク中の前記界面活性剤の含有量Ｖ１（質量％）が、前記第２のインク中の前記界面活性剤の含有量Ｖ２（質量％）よりも多く、
前記第１のインクから前記界面活性剤を除いた液体組成物Ｘに前記含有量Ｖ２（質量％）となるように前記界面活性剤を添加した液体組成物Ｘ’と、前記第２のインクから前記界面活性剤を除いた液体組成物Ｙに前記含有量Ｖ２（質量％）となるように前記界面活性剤を添加した液体組成物Ｙ’とが、下記条件Ａを満たすことを特徴とする画像記録方法。
［条件Ａ］：水に対する吸収係数Ｋａが０．１ｍＬ・ｍ-2・ｍｓ-1/2より大きく０．３ｍＬ・ｍ-2・ｍｓ-1/2以下である評価用記録媒体に、前記液体組成物Ｘ’の記録領域Ｘ’と、前記液体組成物Ｙ’の記録領域Ｙ’とを互いに接触するように記録した場合に、前記記録領域Ｙ’から流れ出た前記液体組成物Ｙ’が前記記録領域Ｘ’へと流れ込む。
【請求項２】
さらに、前記第１のインク及び前記第２のインクが付与された前記記録媒体を加熱する工程を有する請求項１に記載の画像記録方法。
【請求項３】
前記記録媒体を表面温度７０℃以上に加熱する請求項２に記載の画像記録方法。
【請求項４】
記録する画像の記録解像度（ｄｐｉ）に対する搬送速度（ｍ／分）の比の値が０．１２５以上となるように、前記記録媒体を搬送する請求項１乃至３のいずれか１項に記載の画像記録方法。
【請求項５】
前記記録媒体の水に対する吸収係数Ｋａが、０．３ｍＬ・ｍ-2・ｍｓ-1/2以下である請求項１乃至４のいずれか１項に記載の画像記録方法。
【請求項６】
前記界面活性剤が、下記一般式（１）で表される請求項１乃至５のいずれか１項に記載の画像記録方法。
2018048215.tif 000001
（前記一般式（１）中、Ｒ１〜Ｒ４は、それぞれ独立に炭素数１乃至３のアルキル基を表し、ｘ及びｙは、それぞれ独立に１乃至５の数を表し、ｍ＋ｎは、２乃至８の数を表す）
【請求項７】
前記樹脂粒子が、ポリウレタン樹脂粒子又はアクリル樹脂粒子である請求項１乃至６のいずれか１項に記載の画像記録方法。
【請求項８】
前記第１のインク中の前記樹脂粒子の含有量（質量％）が、前記第１のインクの全質量を基準として、０．１質量％以上１５．０質量％以下であり、
前記第２のインク中の前記樹脂粒子の含有量（質量％）が、前記第２のインクの全質量を基準として、０．１質量％以上１５．０質量％以下である請求項１乃至７のいずれか１項に記載の画像記録方法。
【請求項９】
前記界面活性剤のグリフィン法によって測定されるＨＬＢ値が、９．５以下である請求項１乃至８のいずれか１項に記載の画像記録方法。
【請求項１０】
前記有機溶剤が、グリセリン又はジエチレングリコールである請求項１乃至９のいずれか１項に記載の画像記録方法。
【請求項１１】
前記第１のインク及び第２のインクが、いずれも水性インクである請求項１乃至１０のいずれか１項に記載の画像記録方法。
【請求項１２】
顔料、樹脂粒子、有機溶剤、界面活性剤、及び水をそれぞれ含有する第１のインク並びに第２のインクの組み合わせを含むインクセットであって、
前記界面活性剤の水中における臨界ミセル濃度ｃ１（質量％）と、前記第１のインク中及び前記第２のインク中のそれぞれの前記界面活性剤の濃度ｃ２（質量％）とが、ｃ１×２≦ｃ２の関係を満たし、
グリフィン法により測定される前記界面活性剤のＨＬＢ値が、１３未満であり、
前記第１のインク中の前記界面活性剤の含有量Ｖ１（質量％）が、前記第２のインク中の前記界面活性剤の含有量Ｖ２（質量％）よりも多く、
前記第１のインクから前記界面活性剤を除いた液体組成物Ｘに前記含有量Ｖ２（質量％）となるように前記界面活性剤を添加した液体組成物Ｘ’と、前記第２のインクから前記界面活性剤を除いた液体組成物Ｙに前記含有量Ｖ２（質量％）となるように前記界面活性剤を添加した液体組成物Ｙ’とが、下記条件Ａを満たすことを特徴とするインクセット。
［条件Ａ］：水に対する吸収係数Ｋａが０．１ｍＬ・ｍ-2・ｍｓ-1/2より大きく０．３ｍＬ・ｍ-2・ｍｓ-1/2以下である記録媒体に、前記液体組成物Ｘ’の記録領域Ｘ’と、液体組成物Ｙ’の記録領域Ｙ’とを互いに接触するように記録した場合に、前記記録領域Ｙ’から流れ出た前記液体組成物Ｙ’が前記記録領域Ｘ’へと流れ込む。
【請求項１３】
顔料、樹脂粒子、有機溶剤、界面活性剤、及び水をそれぞれ含有する第１のインク並びに第２のインクの組み合わせを含むインクセットの調製方法であって、
前記界面活性剤の水中における臨界ミセル濃度ｃ１（質量％）と、前記第１のインク中及び前記第２のインク中のそれぞれの前記界面活性剤の濃度ｃ２（質量％）とが、ｃ１×２≦ｃ２の関係を満たし、
グリフィン法により測定される前記界面活性剤のＨＬＢ値が、１３未満であり、
前記第１のインク中の前記界面活性剤の含有量Ｖ１（質量％）が、前記第２のインク中の前記界面活性剤の含有量Ｖ２（質量％）よりも多く、
前記第１のインクから前記界面活性剤を除いた液体組成物Ｘに、前記含有量Ｖ２（質量％）となるように前記界面活性剤を添加した液体組成物Ｘ’と、前記第２のインクから前記界面活性剤を除いた液体組成物Ｙに、前記含有量Ｖ２（質量％）となるように前記界面活性剤を添加した液体組成物Ｙ’とが、下記条件Ａを満たすように、前記第１のインク及び前記第２のインクを調製することを特徴とするインクセットの調製方法。
［条件Ａ］：水に対する吸収係数Ｋａが０．１ｍＬ・ｍ-2・ｍｓ-1/2より大きく０．３ｍＬ・ｍ-2・ｍｓ-1/2以下である記録媒体に、前記液体組成物Ｘ’の記録領域Ｘ’と、液体組成物Ｙ’の記録領域Ｙ’とを互いに接触するように記録した場合に、前記記録領域Ｙ’から流れ出た前記液体組成物Ｙ’が前記記録領域Ｘ’へと流れ込む。
【手続補正２】
【補正対象書類名】明細書
【補正対象項目名】００１４
【補正方法】変更
【補正の内容】
【００１４】
具体的には、インクから界面活性剤を除いた液体組成物Ｘ及びＹに、含有量Ｖ（質量％）となるように界面活性剤をそれぞれ添加した液体組成物Ｘ’及びＹ’が、下記条件Ａを満たす場合を想定する。この場合に、液体組成物Ｘに含有量がＶ１（質量％）となるように界面活性剤を添加して調製したインクを「第１のインク」とし、液体組成物Ｙに含有量がＶ２（質量％）となるように界面活性剤を添加して調製したインクを「第２のインク」とする。なお、第１のインクから界面活性剤を除いた液体組成物Ｘに含有量Ｖ２（質量％）となるように界面活性剤を添加した液体組成物Ｘ’と、第２のインクから界面活性剤を除いた液体組成物Ｙに含有量Ｖ２（質量％）となるように界面活性剤を添加した液体組成物Ｙ’とが、下記条件Ａを満たす。さらに、第１のインク中の界面活性剤の含有量Ｖ１（質量％）が、第２のインク中の界面活性剤の含有量Ｖ２（質量％）よりも多い。そして、含有量Ｖ２（質量％）が下記条件Ａを満足するように導き出された「Ｖ（質量％）」以上であるインクセットを調製して用いることによって、ブリード現象が抑制された画像を記録することができる。
［条件Ａ］：水に対する吸収係数Ｋａが０．１ｍＬ・ｍ-2・ｍｓ-1/2より大きく０．３ｍＬ・ｍ-2・ｍｓ-1/2以下である評価用記録媒体に、液体組成物Ｘ’の記録領域Ｘ’と、液体組成物Ｙ’の記録領域Ｙ’とを互いに接触するように記録する。この場合に、記録領域Ｙ’から流れ出た液体組成物Ｙ’が記録領域Ｘ’へと流れ込む。